(57)【要約】【課題】簡易な構造でありながら体格の異なる被検者の移動を確実に抑制することが可能であり、しかも操作性が良好で着脱容易な安全肩当てを提供する。【解決手段】Ｘ線装置の天板１４の側端縁１４ｂを挟持する締付ネジ７を備え，この側端縁１４ｂへ着脱可能に装着される装着部２と、装着部２に連結され、噛合面方向が天板１４の面に対して平行又は垂直である一対の噛合部を備えて一方向に回動力を伝達する噛合いクラッチ８と，この回動力の伝達を入切する押ボタン９と，から成る回動部３と、回動部３に一端が連結され，噛合いクラッチ８の回動軸を中心に回動可能なアーム部４と、アーム部４の他端に取り付けられる肩当て部６と、を備える。【選択図】図１
2014217789.tif 000002
【特許請求の範囲】
【請求項１】
Ｘ線装置の天板に装着され，この天板上に横臥する被検者の肩へ接触して被験者の移動を抑制する安全肩当てであって、
前記天板の側端縁を挟持する締付具を備え，この側端縁へ着脱可能に装着される装着部と、
前記装着部に連結され、噛合面方向が前記天板の面に対して平行又は垂直である一対の噛合部を備えて一方向に回動力を伝達するクラッチ部と，この回動力の伝達を入切するスイッチと，から成る回動部と、
前記回動部に一端が連結され，前記クラッチ部の回動軸を中心に回動可能なアーム部と、
前記アーム部の他端に取り付けられる肩当て部と、を備えることを特徴とする安全肩当て。
【請求項２】
前記一対の噛合部は、前記接合面が前記天板の面に対して平行又は垂直である場合において、その回動角度が、前記側端縁側を０度としてそれぞれ０〜１２０度又は０〜９０度であり、このうち前記クラッチ部の前記回動力が遮断された場合には、いずれも前記回動角度が０度に復帰することを特徴とする請求項１記載の安全肩当て。
【請求項３】
前記アーム部は、所望の距離間隔で複数の孔がそれぞれ穿孔された一対のスライドレールと，これら複数の穴のいずれかに挿入される固定具と，を備え、前記アーム部の長さが伸縮及び固定可能に構成されることを特徴とする請求項１又は請求項２に記載の安全肩当て。
【請求項４】
前記装着部は、前記天板の側端面に所望の距離間隔で穿設された複数の小孔へ嵌入される嵌入ピンが突設されたことを特徴とする請求項１乃至請求項３のいずれか１項に記載の安全肩当て。
【発明の詳細な説明】
【技術分野】
【０００１】
本発明は、Ｘ線装置の天板に横臥する被検者の肩へ接触してその移動を抑制する安全肩当てに係り、特に、天板に着脱可能な装着部に連結される回動部を中心に回動可能なアーム部を備えた安全肩当てに関する。
【背景技術】
【０００２】
従来、消化管のＸ線透視検査では、造影剤を付着させて目的の部位を描出するために、Ｘ線装置の天板上で被検者が回転する等の体位変換が行われてきた。そして、特に近年では胃部検診において、天板に横臥した被検者の頭側を水平よりも低く傾斜させる逆傾斜の体位が重要視されている。このように、天板から被検者が頭側より落下することを防止する必要性から、被検者の両肩に圧接させて被検者を固定する肩当てが必須となってきた。
しかし、天板の両端部から被検者の肩や頭部に向かって一対の肩当てが突出し、しかもこの肩当ては移動不能に天板へ固定されていたため、回転する際に被検者が肩当てに衝突する危険性や、その回転が阻害されて目的の部位が十分に描出されないという課題があった。そのため、回転する際に限って肩当てを装着する場合には、検査の途中に肩当てを天板へ装着すると、装着部分の締付ネジ等の締付が不十分となり肩当てが落下するおそれがあった。
また、１日当たりの検査件数が多い場合では、肩当ての脱着は煩雑となってしまうことから、肩当てを一方のみ使用する施設や全く使用しない施設が出現し、実際に被検者の落下事故が発生しているという課題もあった。そこで、近年、天板等へ確実に固定され、かつ移動可能な肩当てについて様々な研究や開発が行われており、それに関して既に幾つかの発明や考案が開示されている。
【０００３】
例えば、特許文献１には、「肩当装置」という名称で、Ｘ線装置において被検者の肩を押さえて保持する肩当装置に関する考案が開示されている。
特許文献１に開示された考案は、本体に、駆動部と，動力伝達部を介してスライド部材とが取り付けられるとともに、このスライド部材に係合部を介して基端が回動自在に取り付けられ，基端と反対端に肩当てが設けられた支持アームを備えることを特徴とする。
このような構造によれば、肩当に一方向の荷重がかかると係合部が本体に係合して支持アームの回動及びスライド部材のスライドが制動される。従って、被検者の肩をしっかりと押さえることができ、被検者を安全に保持することができる。また、駆動部を操作することによりスライド部材がスライドするため、肩当の位置決めを機械的に行うことが可能であり、操作性が向上するという効果を有する。
【０００４】
また、特許文献２には、「被検者固定装置」という名称で、Ｘ線診断装置の寝台に装備され被検者の肩部を固定する被検者固定装置に関する発明が開示されている。
特許文献２に開示された発明は、寝台の天板両側を跨ぐフレームと、このフレームの両端にそれぞれ設けられ天板短手方向の中心からこの方向に等距離で移動する肩支持機構と、フレーム内に設けられ肩支持機構を駆動する短手方向移動機構と、フレーム内に設けられフレームを天板長手方向に移動する長手方向移動機構と、フレームに設けられ手操作にて長手方向移動機構及び短手方向移動機構に対してロック又はロック解除を与える機構と、この機構を付勢するための駆動力を与えるレバーと、を備えたことを特徴とする。
このような構造の被検者固定装置においては、被検者の対軸方向及び体幅方向の所望の位置に肩支持機構が設定されるとともに、一被検者当り２段階のレバー操作にて肩支持機構の設定と解除がなされるという作用を有する。従って、被検者の固定等を容易に行うことが可能であり、極めて操作性が良いという効果を有する。
【０００５】
さらに、特許文献３には、「透視撮影台」という名称で、駆動源によって移動可能な肩当体を備えた透視撮影台に関する考案が開示されている。
特許文献３に開示された考案においては、肩当体が、天板面に平行に配設された左右それぞれのアームと、天板左右端に配設され，アームを天板面に平行な面内に回転可能に支持する第１支点を備えたアーム支持板と、このアーム支持板を天板長手方向に前進または退避可能に支持する基板とを介して、基板を天板面に平行な面内に回転可能に支持する第２支点を設けた天板上に載置されたことを特徴とする。
このような構造の肩当体においては、撮影後の肩当体の退避に際し、アームは第１支点を中心に肩から離れる方向に第１段階回転し、次に肩当体はアーム支持板と共に天板長手方向に退避開始し、さらに退避終了後は、それぞれの基板は第２支点を中心に第１段階回転と同一方向に第２段階回転を行うという作用を有する。従って、従来患者の乗降時等に患者との接触の危険性のあった肩当体の駆動機構が一括して天板頭部端に収納されるため、患者周辺の天板上には突出物が無く、従来の重量・寸法の大きな駆動機構を取り外す必要がない。よって、常時安全且つ迅速な患者の乗降等が可能になるという効果を有する。
【先行技術文献】
【特許文献】
【０００６】
【特許文献１】実公昭６３−１９０４５号公報
【特許文献２】特開平１−２６５９４４号公報
【特許文献３】実用新案登録第３１６７００５号公報
【発明の概要】
【発明が解決しようとする課題】
【０００７】
特許文献１に開示された考案においては、係合部と係合凹溝との摩擦力で支持アームの回動及びスライド部材のスライドが制動されることで被検者を保持する。しかし、摩擦力のみでは体重の重い被検者や逆傾斜の角度が大である場合に、荷重に耐えることができず被検者を保持できない可能性がある。また、図１及び図２によれば、スライド部材のスライド距離が短めであり、肩当と被検者の肩や頭部との距離が十分に離隔されないことが考えられる。従って、回転する際に被検者が肩当てに衝突する危険性等の課題が解決されていない等の可能性がある。
【０００８】
また、特許文献２に開示された発明においては、短手方向移動機構、長手方向移動機構及びロック又はロック解除を与える機構に係る構造があまりに大掛りであり、２段階のレバー操作にて肩支持機構の設定と解除がなされるといった効果に対する構造としては過剰である。従って、コストやメンテナンスといった点の負担が大きく、導入困難な可能性がある。
【０００９】
さらに、特許文献３に開示された考案においては、駆動スプロケットやチェーン等の駆動手段が天板の上面に設置されているものと思われるため、患者が不意に動いた際や乗降時等の際に駆動手段に接触する危険性が残存している。従って、常時安全且つ迅速な患者の乗降等が可能になるとは言えない可能性がある。また、肩当体及び駆動手段は、その設置面積が天板上端部の大部分を占めているとともに取り外し不能であることから、必要時以外においても周囲の機材がこれらに接触し、肩当体等が邪魔となることが考えられる。
【００１０】
本発明は、このような従来の事情に対処してなされたものであり、簡易な構造でありながら体格の異なる被検者の移動を確実に抑制することが可能であり、しかも操作性が良好で着脱容易な安全肩当てを提供することを目的とする。
【課題を解決するための手段】
【００１１】
上記目的を達成するため、請求項１記載の発明に係る安全肩当ては、Ｘ線装置の天板に装着され，この天板上に横臥する被検者の肩へ接触して被験者の移動を抑制する安全肩当てであって、天板の側端縁を挟持する締付具を備え，この側端縁へ着脱可能に装着される装着部と、装着部に連結され、噛合面方向が天板の面に対して平行又は垂直である一対の噛合部を備えて一方向に回動力を伝達するクラッチ部と，この回動力の伝達を入切するスイッチと，から成る回動部と、回動部に一端が連結され，クラッチ部の回動軸を中心に回動可能なアーム部と、アーム部の他端に取り付けられる肩当て部と、を備えることを特徴とする。
このような構造の安全肩当ては、天板の両側端縁にそれぞれ１個ずつ装着され、側端縁からその中央部に向かう順に装着部、回動部、アーム部、肩当て部、が連結されて一体的に構成されている。従って、装着部が天板の側端縁へ装着されると、装着部から肩当て部までが一体として装着され、その逆に装着部が天板の側端縁から取り外されると、装着部から肩当て部までが一体として取り外されるという作用を有する。
また、装着部は天板の側端縁を挟持する締付具を備えることから、締付具を緩締することで装着部が天板から脱着される。このうち、天板へ装着した場合において、締付具の締付程度により、装着部が側端縁に移動不可能に固着された状態、あるいはこの側端縁に沿ってスライド運動可能な状態のいずれかが選択される。なお、装着部は、横臥した被検者の肩よりも常に天板の上端（天板を立位とした際の天井側）寄りに装着され、締付具として具体的には締付ネジ等が使用される。
【００１２】
次に、回動部に備えられるクラッチ部は、噛合面方向が天板の面に対して平行又は垂直である一対の噛合部を備えることから、回動部に一端が連結されたアーム部も同様に、天板の面に対して平行又は垂直方向へ回動するという作用を有する。なお、この一対の噛合部が互いに密着している場合にこれら噛合部間で双方向に回動力が伝達され、また一対の噛合部が互いに離合している場合には回動力は遮断されて伝達されない構造となっている。すなわち、このような回動力の伝達を制御する作用を発揮させる部材として「回動力の伝達を入切するスイッチ」が備えられており、例えばこのスイッチをオンにすることで回動力の伝達が遮断される。
【００１３】
また、クラッチ部は一方向に回動力を伝達するため、一対の噛合部が互いに密着している場合は、アーム部の回動も同方向のみに許容されるという作用を有する。なお、「一方向」とは、クラッチ部の回動軸を中心とした回動方向が一方向なのであって、前述した一対の噛合部間における回動力の伝達方向が双方向であることとは異なっている。
このような一方向の回動作用は噛合部の形状を工夫することでもたらされる。例えば、噛合部に、クラッチ部の回動軸の周囲に連続して複数の傾斜面及び垂直面から形成される一対の爪部が対向して設けられた場合では、一方の爪部に加えられた回動力の方向に従い、傾斜面に沿って隣接する爪部が摺動しながら互いに離隔するか、または垂直面が圧接し合い爪部が停止したままか、のいずれかの状態となる。従って、一方の爪部がアーム部に固着されている場合では、アーム部に加えられた回動力の方向に従い、爪部が摺動してアーム部自体が回動するか、また爪部が摺動せずアーム部自体も停止したまま、のいずれかとなる。なお、この場合アーム部は無段階に回動するものではなく、それぞれの爪部毎に回動する。これに対し、一対の噛合部が離合している場合には、クラッチ部とは無関係となるため、アーム部は方向が特に制限されず手動にて双方向へ無段階に回動する。
このように、噛合部の形状を工夫することで、アーム部は一方向に回動、停止または双方向に回動という３通りの状態を取り得ることから、アーム部に取り付けられた肩当て部も同様の状態を取り得る。このうち、停止状態にある肩当て部が被検者の両肩に接触した場合に限り、被検者は肩当て部に支持されてその移動が抑制されるという作用を有する。
【００１４】
また、請求項２記載の発明は、請求項１記載の安全肩当てにおいて、一対の噛合部は、接合面が天板の面に対して平行又は垂直である場合において、その回動角度が、側端縁側を０度としてそれぞれ０〜１２０度又は０〜９０度であり、このうちクラッチ部の回動力が遮断された場合には、いずれも回動角度が０度に復帰することを特徴とする。
このような構造の安全肩当てにおいては、一対の噛合部の最大回動角度は、接合面が天板の面に対して平行な場合では１２０度であり、垂直な場合では９０度である。また、装着部は、被検者の肩よりも常に天板の上端寄りに装着されるとともに、回動角度は側端縁側を０度としていることから、上記のいずれの場合であっても、０〜９０度の範囲内においては回動角度が増大するにつれて肩当て部が被検者の肩に接近するという作用を有する。また、９０〜１２０度の範囲内においては、回動角度が増大するにつれ、天板の短手方向では肩当て部と被検者の肩との距離が拡大する一方、長手方向においては同距離が短縮される。
さらに、アーム部は噛合部を構成する爪部毎に回動することから、０〜９０度及び９０〜１２０度のいずれの範囲内においても、所望する角度でアーム部が固定される。
また、「クラッチ部の回動力が遮断された場合に回動角度が０度に復帰する」とは、例えば回動力の伝達を入切するスイッチをオンした後、アーム部を手動にて０度に復帰させる場合や、アーム部と装着部との間を繋ぐバネ等を設けることで、アーム部が付勢されて復帰する場合等が考えられる。
【００１５】
請求項３記載の発明は、請求項１又は請求項２に記載の安全肩当てにおいて、アーム部は、所望の距離間隔で複数の孔がそれぞれ穿孔された一対のスライドレールと，これら複数の穴のいずれかに挿入される固定具と，を備え、アーム部の長さが伸縮及び固定可能に構成されることを特徴とする。
このような構造の安全肩当てにおいては、「一対のスライドレール」のうちの一方が、アーム部の長手方向に沿って固着されて設けられる。また、アーム部に固着されていない他方は、長手方向に沿ってスライド運動を行う。従って、一対のスライドレールに穿孔された複数の孔への固定具の挿入位置を移動させることで、アーム部の長さが調整されるという作用を有する。なお、固定具は孔に対して螺合される他、単に押し込まれる構造であっても良い。
【００１６】
請求項４記載の発明は、請求項１乃至請求項３のいずれか１項に記載の安全肩当てにおいて、装着部は、天板の側端面に所望の距離間隔で穿設された複数の小孔へ嵌入される嵌入ピンが突設されたことを特徴とする。
このような構造の安全肩当てにおいては、嵌入ピンが天板の側端面における小孔へ嵌入されることから、天板に対する装着部の位置が固定されるという作用を有する。従って、装着部の締付具による固着と相まって、予期しない装着部の移動が防止される。
【発明の効果】
【００１７】
以上説明したように、本発明の請求項１記載の安全肩当てによれば、装着部、回動部、アーム部、肩当て部、が連結されており、前述した先行技術と比較すれば極めて簡易な構成である。従って、低コストでの製造及び現場への導入が可能である。
また、装着部を天板の側端縁から着脱することで、装着部から肩当て部までが一体として着脱されるため、安全肩当て全体を一度の操作によって速やかに装着及び取り外すことが可能である。しかも、装着部の着脱は、締付具を緩締することのみで可能であるので、極めて容易なものである。また、締付具を緩締することにより、装着部を天板の側端縁に沿って自在にスライドさせることができるため、被検者の身長に合わせて安全肩当ての位置を微調整することも容易である。
さらに、一対の噛合部が互いに密着している場合に回動力が伝達されることから、例えば面状の接合部同士の摩擦力のみによって伝達される場合と比較して、一方の噛合部の回動力を確実に他方へと伝達することができる。さらに、「回動力の伝達を入切するスイッチ」によって回動力の伝達を制御できるので、迅速な切替操作が可能である。
加えて、このような切替操作によって、肩当て部は一方向に回動、固定または双方向に回動という３通りの状態を取り得ることから、これらの状態を容易かつ自在に変化させることができて操作性が良好である。また、このうち肩当て部が被検者の両肩に接触した場合には被検者の移動が抑制され、この状態は次の切替操作を行うまで維持されることから、必要な時間内において被検者の落下を防止できる。よって、確実に被検者の安全を確保できるという効果を有する。
【００１８】
本発明の請求項２記載の安全肩当てによれば、請求項１記載の発明の効果に加えて、０〜９０度の範囲内においては回動角度が増大するにつれ肩当て部が被検者の肩に接近し、そのうちの所望する角度でアーム部が固定されることから、被検者の身長や体幅に合った位置に肩当て部を固定することが可能である。
また、９０〜１２０度の範囲内においては、回動角度が増大するにつれ、天板の長手方向において肩当て部と被検者の肩との距離が短縮される。このことから、被検者の身長が低い場合に、装着部の位置を天板の下端（天板を立位とした際の床側）寄りに移動させなくてもその肩に肩当て部を接近させることができる。さらに、０〜９０度の範囲内と同様に、所望する角度でアーム部が固定されるため、被検者の身長に見合った微調整を容易に行うことができる。なお、このような微調整は、被検者の安全のため、逆傾斜の状態にあっては行われない。
【００１９】
本発明の請求項３記載の安全肩当てによれば、請求項１又は請求項２に記載の発明の効果に加えて、固定具の挿入位置を移動させることで、アーム部の長さが調整されることから、請求項２に係る発明と同様に、装着部の位置を天板に沿って移動させることなく被検者の体格に合わせて肩当て部の位置を調整することが可能である。また、固定具をスライドレールに穿孔された複数の孔へ挿入することでアーム部の長さが固定されることから、固定具を移動させた場合でも肩当て部が被検者の肩を支持し、被検者が落下するおそれがない。
【００２０】
本発明の請求項４記載の安全肩当てによれば、請求項１乃至請求項３のいずれか１項に記載の発明の効果に加えて、予期しない装着部の移動が防止されることから、被検者の落下事故等の発生をより確実に防止することができる。
【図面の簡単な説明】
【００２１】
【図１】（ａ）は実施例１に係る安全肩当ての平面図であり、（ｂ）は図１（ａ）におけるＡ−Ａ線矢視断面図である。
【図２】（ａ）及び（ｂ）は、それぞれ実施例１に係る安全肩当てを構成するクラッチ部の平面図及び側面図であり、（ｃ）及び（ｄ）は、それぞれ実施例１に係る安全肩当てを構成する回動部の動作状態図である。
【図３】（ａ）及び（ｂ）は、それぞれ実施例１に係る安全肩当ての使用状態図である。
【図４】（ａ）は実施例２に係る安全肩当ての平面図であり、（ｂ）は図３（ａ）におけるＢ−Ｂ線矢視断面図である。
【発明を実施するための形態】
【実施例１】
【００２２】
本発明の実施の形態に係る実施例１の安全肩当てについて、図１乃至図３を用いて詳細に説明する（主に、請求項１、請求項３及び請求項４に対応）。
なお、図１で示した構成要素については、図２及び図３においても同一の符号を付して、その説明を省略する。
図１（ａ）は実施例１に係る安全肩当ての平面図であり、図１（ｂ）は図１（ａ）におけるＡ−Ａ線矢視断面図である。
【００２３】
図１（ａ）及び図１（ｂ）に示すように、本実施例の安全肩当て１は、締付ネジ７を備えて天板１４に装着される装着部２と、装着部２に連結される回動部３と、回動部３に一端が連結されるアーム部４と、アーム部４の他端に取り付けられる肩当て部６と、から構成される。
このうち、装着部２は、その下縁２ａとネジ軸７ａの先端に取り付けられるワッシャー７ｂとが天板１４の側端縁１４ｂを挟持することで、天板１４に固定される構造である。さらに装着部２には、一定距離間隔で側端縁１４ｂに穿設された複数の小孔１４ａへ嵌入される嵌入ピン１３が突設されている。なお、具体的には、１０個の小孔１４ａが５ｃｍ間隔で側端縁１４ｂに穿設されている。
また、回動部３は、縦断面がコ字状であって、側端面の一部にはコ字の上面と下面との間隙を閉鎖する側壁３ａが設けられ、これ以外は開放端となっている。そして、コ字の内部にはクラッチ軸１６に周設される円柱形状の噛合いクラッチ８が備えられるとともに、噛合いクラッチ８に隣接して押ボタン９が備えられる。噛合いクラッチ８は、天板１４の面に対して平行な一対の噛合面を有し、この噛合面においてその円柱形状が分離される構造である。分離された一方の噛合いクラッチ８は回動部３に固着され、他方はアーム部４の一端に固着されている。すなわち、回動部３の上面、噛合いクラッチ８、アーム部４の一端及び回動部３の下面は、いずれもクラッチ軸１６が貫通し、積層体のように一体的に形成された状態となっている。従って、この噛合面が密着または離合することで、アーム部４に加えられたクラッチ軸１６を中心とする回動力が、回動部３の上面へ伝達または遮断される構造となっている。また、押ボタン９は、一対の噛合面間の距離を調節することでこの回動力の制御を可能とする構造を有している。このような回動力の伝達については、図２においてさらに詳述する。
【００２４】
次に、アーム部４の片面には、スライドレール１０が固着される。このスライドレール１０は、外レール１０ａと、外レール１０ａ内に入れ子式に収容される内レール１０ｂとの組み合わせである。また、アーム部４には略長方形状の固定孔１２が穿設され、外レール１０ａ及び内レール１０ｂには、それぞれ１個の固定孔１２ａ及び４個の固定孔１２ｂが穿設されている。すなわち、内レール１０ｂを外レール１０ａに沿ってスライドさせ（図中Ｘ方向）、４個の固定孔１２ｂのうちのいずれかを固定孔１２，１２ａと同位置とした後、先端が膨らんだ固定ピン１１がこれらの固定孔１２，１２ａ，１２ｂに押し込まれることで、アーム部４の全長が決定される構造である。具体的には、アーム部４の全長は２０〜３０ｃｍ程度である。
さらに、この内レール１０ｂは、回動部３とは反対側に延設されて屈曲部５が形成される。そして、屈曲部５の先端には、クッション部材として被検者の肩に当接される肩当て部６が備えられる。
【００２５】
続いて、アーム部４の回動角度について説明する。アーム部４の長手方向と天板１４の側端縁１４ｂとのなす角度が回動角度θ１及びθ２であり、θ１＝０度の場合を基準とする。アーム部４は、クラッチ軸１６を中心として０度≦θ１≦９０度及び９０度＜θ２≦１２０度の範囲内において回動する。このような回動角度の限定は、回動部３に設けられた側壁３ａに、アーム部４がθ１＝０度及びθ２＝１２０度において当接するためである。
【００２６】
さらに、回動部について、図２を用いて詳細に説明する。
図２（ａ）及び図２（ｂ）は、それぞれ実施例１に係る安全肩当てを構成するクラッチ部の平面図及び側面図である。
図２（ａ）に示すように、噛合いクラッチ８には、クラッチ軸１６を中心として３０度間隔で放射線状に複数の爪部８ａが形成される。
さらに、図２（ｂ）に示すように、噛合いクラッチ８は、これら爪部８ａと噛合する複数の爪部８ｂが備えられる。
【００２７】
続いて、回動部の動作状態について詳細に説明する。
図２（ｃ）及び図２（ｄ）は、それぞれ実施例１に係る安全肩当てを構成する回動部の動作状態図であって、図２（ｃ）は爪部８ａと爪部８ｂが互いに密着している場合であり、図２（ｄ）はこれらが互いに離合している場合である。
図２（ｃ）に示すように、爪部８ａ，８ｂはそれぞれ回動部３，アーム部４に固着されている。また、伸展する内バネ１５ｂによって、アーム部４は回動部３の内面３ｂ方向へ押し上げられている。これにより、爪部８ａ，８ｂは互いに密着し噛合っている。
続いて、アーム部４に対し、クラッチ軸１６を中心として図中Ｙ１方向へ回動させる力を加えると、内バネ１５ｂが収縮して爪部８ｂが摺動しつつ爪部８ａより遠ざかり始め、その後隣接する爪部８ｂが当初の爪部８ａへと噛合する。すなわち、前述のアーム部４に加えられた回動力が回動部３に伝達する。言い換えれば、この回動力は回動部３から許容され、アーム部４がＹ１方向へ回動する。このとき、押ボタン９は、外バネ１５ａの伸展により、押ボタン軸９ａの先端のフランジ９ｂが回動部３の内面３ｂに当接し、最大高さに突出している。なお、押ボタン軸９ａは中空部に案内軸９ｃが貫通した筒状であって、押ボタン軸９ａはこの案内軸９ｃに沿ってスライド可能に構成されたものである。
なお、アーム部４に対しＹ１方向とは逆方向へ回動させる力を加えると、爪部８ｂが爪部８ａに圧接したまま停止することから、アーム部４の回動は回動部３によって許容されないこととなる。
これに対し、図２（ｄ）に示すように、押ボタン９を押さえると、外バネ１５ａが収縮してフランジ９ｂがアーム部端部４ａに当接し、アーム部４をクラッチ軸１６に沿って内面３ｂとは逆方向へ平行移動させる。この移動距離は、爪部８ａと爪部８ｂのそれぞれの上端が完全に離合可能な程度である。爪部８ａと爪部８ｂが完全に離合されると、アーム部４は回動部３によって何ら抑制されないので、Ｙ１またはＹ２の双方向に回動可能な状態となる。そして、このとき内バネ１５ｂは最小長さに収縮している。
なお、このようなアーム部４の双方向への回動は、いずれも手動によって行われる。
【００２８】
次に、安全肩当ての使用状態について、図３を用いて詳細に説明する。
図３（ａ）及び図３（ｂ）は、それぞれ実施例１に係る安全肩当ての使用状態図であって、図３（ａ）は天板が水平の場合であり、図３（ｂ）は天板が水平からφ度の角度をもって傾斜した場合である。
図３（ａ）に示すように、Ｘ線装置１９の天板１４に横臥した被検者２０の両肩付近に、それぞれ側端縁１４ｂ，１４ｃに装着された安全肩当て１，１が設けられている。これらの安全肩当て１，１は、いずれも被検者２０の身長に合わせてそのスライド位置が適宜調整されている（図中Ｚ方向）。天板１４は、水平状態にあるため、安全肩当て１，１を使用する必要はなく、それぞれアーム部４の回動角度θ１を０度として肩当て部６，６が両肩から離れた状態にある。
図３（ｂ）では、天板１４が水平からφ度の角度で傾斜しているため、被検者２０は逆傾斜の体位にある。安全肩当て１，１は、それぞれアーム部４の回動角度θ１を９０度とし、肩当て部６，６が両肩に当接している。
【００２９】
上記のような構造の安全肩当て１においては、装着部２は、その下縁２ａと締付ネジ７とが天板１４の側端縁１４ｂを挟持することから、締付ネジ７を緩締させることで装着部２が天板１４から着脱またはスライドされるという作用を有する。また、装着部２には、側端縁１４ｂから天板１４の中央部に向かう順に回動部３、アーム部４、屈曲部５、肩当て部６、が連結されて一体的に構成されていることから、回動部３〜肩当て部６も装着部２と一体的な着脱またはスライドがなされる。ただし、装着部２には嵌入ピン１３が突設されていることから、スライドされる場合では、装着部２は複数の小孔１４ａが穿設された間隔毎に側端縁１４ｂに固定される。
【００３０】
次に、回動部３においては、クラッチ軸１６を中心として３０度間隔で複数の爪部８ａ，８ｂが周設される。爪部８ａ，８ｂはそれぞれ回動部３，アーム部４に固着されていることから、爪部８ａ，８ｂが噛合っている場合には、アーム部４もまたＹ１方向へ３０度毎に回動する。従って、屈曲部５を介してアーム部４に取り付けられた肩当て部６は、被検者２０の肩に対して３０度毎に回動して接触する。
また、０度≦θ１≦９０度の範囲内においては回動角度θ１が増大するにつれて天板１４の短手方向及び長手方向ともに、肩当て部６と被検者２０の肩との距離が短縮されるという作用を有する。ただし、９０度＜θ２≦１２０度の範囲内においては、回動角度θ２が増大するにつれて天板１４の短手方向では肩当て部６と被検者２０の肩との距離が拡大し、長手方向においては同距離が短縮される。従って、０度≦θ１≦９０度及び９０度＜θ２≦１２０度のいずれにおいても、回動角度θ１，θ２を調整することのみで肩当て部６と被検者２０の肩との距離が調整されるという作用を有する。
【００３１】
加えて、このアーム部４の回動とは独立に、スライドレール１０によりアーム部４の全長が決定されることから、前述の複数の小孔１４ａ同士の間隔及び３０度毎の回動と相まって、肩当て部６と被検者２０の肩との距離がより細かく調整されるという作用を有する。
【００３２】
本実施例の安全肩当て１によれば、締付ネジ７を緩締させることで装着部２〜肩当て部６が一体的に天板１４から着脱等なされることから、安全肩当て１を簡単な操作で速やかに装着及び取り外すことができる。また、装着部２には嵌入ピン１３が突設されているため、装着部２がスライドされる場合であっても、嵌入ピン１３が複数の小孔１４ａ毎に固定された位置からずれることがない。従って、不意の落下を防止することができる。また、１０個の小孔１４ａが５ｃｍ間隔で穿設されているので、装着部２は天板１４の長手方向に沿って長さ４５ｃｍに亘ってスライド可能である。そのため、複数人数の被検者の身長差が大きい場合でも十分に適応可能である。
また、アーム部４の３０度毎の回動及びスライドレール１０の長さ調整により、肩当て部６と被検者２０の肩との距離がより細かく調整されることから、被検者の身長差がそれほど大きくない場合には、装着部２をスライドさせることなく肩当て部６を被検者２０の肩に接触可能な位置となるよう迅速な調整が可能である。具体的には、被検者２０の身長がより低い場合に、装着部２を天板の下端寄りにスライドさせなくても肩当て部６を肩に当接させることができる。また、身長がより高い場合においても同様である。従って、検診等の多人数を検査する場合に位置調整の手間がかからず、時間的に効率良く検査を進行させることができる。
【００３３】
加えて、噛合いクラッチ８の爪部８ａと爪部８ｂが互いに噛合している場合において、アーム部４は、爪部８ｂが爪部８ａより遠ざかることでＹ１方向（図２（ｃ）参照）へ回動し、爪部８ｂが爪部８ａに圧接する際には回動しない。このように、アーム部４が回動するか否かは明確に区別され、アーム部４が回動しない場合に限って被検者２０を支持可能であることから、アーム部４を正確に被検者２０を支持可能な状態とすることができる。よって、確実に被検者２０の安全を確保できるという効果を有する。
これに対し、爪部８ａと爪部８ｂが互いに離合している場合においては、アーム部４は回動部３によって何ら抑制されないので、θ１＝０の基準の角度へ速やかに復帰可能である。従って、被検者２０を支持する必要のない場合は、安全肩当て１を天板１４から取り外すことなく速やかにアーム部４〜肩当て部６を側端縁１４ｂ，１４ｃ付近へ退避させることができる。よって、従来からの肩当ての不使用理由である脱着の煩雑さが解消されるため、安全肩当て１は導入され易く、ひいては被検者の落下事故数を減少させることができる。さらに、被検者２０が天板１４上で回転等の体位変換を行う場合に、アーム部４〜肩当て部６に衝突することがなく安全であり、体位変換が阻害されて目的の部位が十分に描出されないという事態を回避することができる。
また、爪部８ａ，８ｂの噛合・離合は、押ボタン９を操作することによって可能であることから、極めて容易であり、操作性が良好である。
【００３４】
さらに、安全肩当て１は、装着部２と、回動部３と、アーム部４と、屈曲部５と、屈曲部５と、から成り、極めて簡易な構成である。また、電動部材が配設されていないため、被検者２０の顔面付近に装着されても圧迫感や騒音による不快感等を与えることがない。
以上から、安全肩当て１は、簡易な構成でありながら体格の異なる被検者２０の移動を確実に抑制することが可能であり、しかも操作性や良好で着脱容易であるという課題を充分に解決するものである。
【００３５】
なお、本発明の安全肩当ては本実施例に示す構造に限定されない。例えば、回動角度θ２の最大値は、１２０度よりも大であっても良い。また複数の爪部８ａ，８ｂは３０度以外の間隔でクラッチ軸１６に周設されても良く、その傾斜部は緩やかな曲面であっても良い。また、これらの爪部８ａ，８ｂはクラッチ軸１６を中心として渦状に形成されても良い。さらに、固定孔１２ｂは４個以外でも良く、外レール１０ａ及び内レール１０ｂの長さも図１に示される限りではない。さらに、屈曲部５と肩当て部６との間に角度調整ネジ等が介在されることで、肩当て部６と被検者２０の肩との接触面積が常に最大となるように適宜調節されても良い。この他、アーム部４と装着部２とを連結するバネ等を設けてアーム部４の復帰が付勢される構成であっても良い。
【実施例２】
【００３６】
本発明の実施の形態に係る実施例２の安全肩当てについて、図４を用いて詳細に説明する（主に、請求項２に対応）。なお、図１乃至図３で示した構成要素については、図４においても同一の符号を付して、その説明を省略する。
図４（ａ）は実施例１に係る安全肩当ての平面図であり、図４（ｂ）は図４（ａ）におけるＢ−Ｂ線矢視断面図である。
【００３７】
図４に示すように、本実施例の安全肩当て１７は、回動部１８に天板１４の面に対して垂直な一対の噛合面を有する噛合いクラッチ２１を備える。また、アーム部４の長手方向と天板１４の面に対して垂直な方向とのなす角度が回動角度θ３であり、θ３＝０度の場合を基準とする。アーム部４は、クラッチ軸２２を中心として０度≦θ３≦９０度の範囲内において回動する。
この他の構造は、実施例１における安全肩当て１と同様である。
【００３８】
上記のような構造の安全肩当て１７においては、回動角度θ３が増大するにつれて肩当て部６が被検者２０の肩の上方より接近し、θ３＝９０度の場合に限ってその肩が支持されるという作用を有する。なお、θ３は、θ１及びθ２に対して垂直な面上において変化することから、安全肩当て１７のアーム部４の回動方向は、安全肩当て１のアーム部４の回動方向に対して垂直である。従って、被検者２０の身長に合わせて安全肩当て１７のアーム部４を調整することができず、この場合は天板１４に対する装着部２をスライドさせることにより、適宜調整を行う。
この他の説明していない作用は、実施例１として説明した安全肩当て１と同様である。
【００３９】
本実施例の安全肩当て１７によれば、θ３＝９０度に限り被検者２０を確実に支持することができる。ただし、被検者２０の身長に対しては、装着部２をスライドさせることにより調整を行うことが必要となるが、検査人数が多数でない場合にあっては、この調整のための手間がわずかに増大するのみであり、検査の進行に支障を来すほどの負担増加とはならない。
この他の説明していない効果は、実施例１として説明した安全肩当て１と同様である。
【００４０】
なお、本発明の安全肩当ては本実施例に示す構造に限定されない。例えば、屈曲部５の屈曲形状は図４（ｂ）に示されたもの以外でも良い。
【産業上の利用可能性】
【００４１】
請求項１乃至請求項４に記載された発明は、Ｘ線装置の天板に横臥する被検者の肩へ接触してその移動を抑制する安全肩当てとして適用可能である。
【符号の説明】
【００４２】
１，１７…安全肩当て  ２…装着部  ２ａ…下縁  ３，１８…回動部  ３ａ…側壁  ３ｂ…内面  ４…アーム部  ４ａ…アーム部端部  ５…屈曲部  ６…肩当て部  ７…締付ネジ  ７ａ…ネジ軸  ７ｂ…ワッシャー  ８，２１…噛合いクラッチ  ８ａ，８ｂ…爪部  ９…押ボタン  ９ａ…押ボタン軸  ９ｂ…フランジ  ９ｃ…案内軸  １０…スライドレール  １０ａ…外レール  １０ｂ…内レール  １１…固定ピン  １２，１２ａ，１２ｂ…固定孔  １３…嵌入ピン  １４…天板  １４ａ…小孔  １４ｂ，１４ｃ…側端縁  １５ａ…外バネ  １５ｂ…内バネ  １６，２２…クラッチ軸  １９…Ｘ線装置  ２０…被検者
【図１】
2014217789.tif 000003
【図２】
2014217789.tif 000004
【図３】
2014217789.tif 000005
【図４】
2014217789.tif 000006